(57)【特許請求の範囲】
【請求項１】
水栓本体の下端面側を直接底板に当接させるように形成し、水栓本体の弁機構の流入口部を水栓本体外殻体と底板との間の水栓本体の周側面に開口して設け、該流入口部にフレキシブル管の一端側を水平方向から接続し、他端側を水栓本体の外殻体内を通って外部へ導出したことを特徴とする水栓金具の導入管の接続構造。
【発明の詳細な説明】
【０００１】
【発明の属する技術分野】
本発明は、水栓本体の弁部分を形成する部材の流入口部と、水及び湯の供給接続管との間をフレキシブル管を用いて簡単に接続するようにした技術に関するものである。
【０００２】
【従来の技術】
通常、水栓金具の水又は湯の流通系路は、図３及び図４の部分縦断面図に示すタイプのものと、図５の部分縦断面図に示すタイプのものとがある。図３及び図４に示すタイプのものは、水栓本体の弁機構部と脚部との間の流入通路を、導入管を用いて接続するようにしたものであり、また図５に示すタイプのものは、水栓本体の弁機構部と脚部との間の流入通路を、水栓本体の鋳込み時にこれと一体形成するようにしたものである。
【０００３】
而して、図３及び図４に示すタイプの水栓金具は、シングルレバー式の湯水混合水栓である。同図に示す如く、この湯水混合水栓１は、底板２とカバー３とより成る基部外殻体４の中央部に、筒状のピン部材５ａ，５ｂを介して水栓本体６を立設している。なお、底板２とカバー３とは、図示しない螺子部材により連結されている。そして、底板２の下面側から筒状のピン部材５ａ，５ｂを貫通して水栓本体６へ螺子部材７ａ，７ｂを螺着することで、水栓本体６を底板２へ固定している。
【０００４】
前記水栓本体６の下部側外周面には、吐水口８を備えた吐水口部９が回動自在に外嵌装着されている。また水栓本体６の上部側の外周面には、キャップ１０が螺子込みにより外嵌装着されている。一方、水栓本体６の上面側には、固定ディスク１１と可動ディスク１２との二枚のディスク弁体より成る弁機構１３が配設されている。キャップ１０の頭部を貫通するシングルレバー１４で、前記可動ディスク１２を操作することにより、湯と水の流量（混合割合）を制御することが可能である。
これにより、吐水口８から吐出される温水の温度を所望する値へ調節することができ、また同時に流量を調節することが可能である。
【０００５】
而して、底板２の両端側には、湯水混合水栓１の取り付けと、湯，水の流入通路とを兼用する脚部１５及び１６が取り付けられている。この脚部１５と１６とは、基部外殻体４内に配設された銅製の導入管１７及び１８を介して水栓本体６の湯，水の流入口１９，２０へ接続されている。
通常は、この導入管１７及び１８の両端側は、それぞれ鑞付けにより前記水栓本体６及び脚部１５，１６へ接続されている。しかも、この導入管１７及び１８の各接続部は、Ｌ字状に折曲された部位１７ａ，１７ｂと、１８ａ，１８ｂとを有している。
【０００６】
なお、図３及び図４において、２１は底板２の下面側に配設されたゴムパッキン、２２は洗面化粧台のカウンター又は洗面器等の湯水混合水栓１を取り付ける相手方部材である。また図４において、２３は水栓本体６に形成された温水の流出口であり、２４は混合室である。
【０００７】
一方、図５に示すタイプの水栓金具もシングルレバー式の湯水混合水栓２５である。この湯水混合水栓２５は、水栓本体２６の全体を鋳造により成形したものであり、弁機構１３（図４に示すものと同じであり、これを参照）へ連通する水栓本体２６の湯，水の流入口１９及び２０（図３参照）と、脚部２７及び２８との間の流入通路２９を、水栓本体２６と一体的に鋳造するようにしている。
【０００８】
【発明が解決しようとする課題】
ところで、これらの湯水混合水栓１及び２５にあっては、それぞれ次のような欠点があった。
すなわち、図３及び図４に示す湯水混合水栓１にあっては、基部外殻体４内に配設された銅製の導入管１７及び１８を介して水栓本体６の湯，水の流入口１９，２０と、脚部１５，１６とを接続している。この接続は、導入管１７及び１８が銅製であるため、それぞれの両端側を鑞付けにより行わねばならない。
【０００９】
このような鑞付けは、それぞれの接続部において同心状に配列しなければならず、その芯合わせが難しく、また受口側と差し込み側とを高精度に仕上げる必要があり、更には径の細い部分での作業であるため、作業自体が困難なものであった。
【００１０】
しかも、前記導入管１７及び１８の各接続部は、Ｌ字状に折曲された部位１７ａ及び１７ｂと、１８ａ及び１８ｂとを有しており、その折曲作業も寸法精度が要求されており、力を入れ過ぎると折曲部が偏平となり、使用できなくなるという問題もあった。
【００１１】
一方、図５に示す湯水混合水栓２５にあっては、水栓本体２６の全体並びにその内部に形成される流入通路２９を一体的に鋳造しており、材料コストが高く、その後に行われる加工コストもかかるという問題があった。
【００１２】
【課題を解決するための手段】
本発明は従来の前記課題に鑑みてこれを改良除去したものであって、フレキシブル管を用いて水栓本体の弁機構の流入口側と、給水源に連通する接続管とを接続することにより、接続作業の簡易化と低コスト化とを実現するようにしたものである。
【００１３】
而して、前記課題を解決するために本発明が採用した手段は、水栓本体の下端面側を直接底板に当接させるように形成し、水栓本体の弁機構の流入口部を水栓本体外殻体と底板との間の水栓本体の周側面に開口して設け、該流入口部にフレキシブル管の一端側を水平方向から接続し、他端側を水栓本体の外殻体内を通って外部へ導出したことを特徴とする水栓金具の導入管の接続構造である。
【００１４】
【発明の実施の形態】
以下に、本発明の構成を図面に示す発明の実施の形態に基づいて説明すると次の通りである。なお、従来の場合と同一符号は同一部材である。
図１は本発明の出発点である基本的な考え方を示す水栓金具２７の部分縦断面図である。同図に示す如く、この水栓金具２７にあっては、水栓本体６の弁機構１３へ連通する湯水の流入口１９及び２０へフレキシブル管２８及び２９の一端側を嵌合装着する。この一端側には、Ｏリング３０が外嵌装着されており、それぞれの流入口１９及び２０とのシールを行っている。
【００１５】
フレキシブル管２８及び２９の他端側は、それぞれ水栓本体の外殻体であるカバー３内を通り、更に底板２の下面側に突出形成された筒状螺子部３１を通って外部へ導出され、接続用の袋ナット３２が取り付けられている。前記筒状螺子部３１は、洗面カウンター等の相手方部材２２の取付用孔３３を貫通し、その下面側で固定ナット３４が螺着されている。これにより、水栓金具２７の全体を洗面カウンター等の相手方部材２２へ固定することが可能である。
前記フレキシブル管２８及び２９の他端側は、給湯源又は給水源とを接続するための別のフレキシブル管（図示せず）等へ連通接続すればよい。
【００１６】
このように構成された水栓金具２７であれば、湯水の流入通路のうち、弁機構１３の流入口１９及び２０への導入部分をフレキシブル管２８及び２９の一端側を差し込むだけの単純な作業によって形成することが可能であり、従来のように銅管を鑞付けしたり、水栓本体の全体と共に一体的に鋳込み成形する必要がない。そのため、水栓金具２７の組立作業を極めて簡略化することが可能であり、また優れた低コスト化が可能である。
【００１７】
図２は本発明の一実施の形態に係る水栓金具３５を示す部分縦断面図である。この水栓金具３５は、水栓本体６の下端面側が直接底板２に当接してこれに直接結合されるタイプのものである。弁機構１３の流入口１９及び２０が水栓本体の周側面へ開口しており、フレキシブル管２８及び２９の一端側の差し込みが水平方向から行うこと以外は、前述した図１に示す基本的な考え方の場合と同じである。
【００１８】
【発明の効果】
以上説明したように本発明にあっては、水栓本体の下端面側を直接底板に当接させるように形成し、水栓本体の弁機構の流入口部を水栓本体外殻体と底板との間の水栓本体の周側面に開口して設け、該流入口部にフレキシブル管の一端側を水平方向から接続し、他端側を水栓本体の外殻体内を通って外部へ導出したから、水栓金具の組立作業を極めて簡単に行うことが可能であり、また優れた低コスト化を実現することが可能である。
【図面の簡単な説明】
【図１】本発明の基本的な考え方を示す水栓金具の部分縦断面正面図である。
【図２】本発明の一実施の形態に係る水栓金具の部分縦断面正面図である。
【図３】従来の銅管を用いた水栓金具を示す部分縦断面正面図である。
【図４】従来の銅管を用いた水栓金具の部分縦断面側面図である。
【図５】従来の鋳込み成形による水栓金具の部分縦断面正面図である。
【符号の説明】
２…底板                          ３…水栓本体の外殻体（カバー）
６…水栓本体                      ２２…水栓金具の相手方部材
２７…水栓金具                    ２８，２９…フレキシブル管
３０…Ｏリング                    ３１…底板の筒状螺子部
３２…袋ナット                    ３３…取付用孔
３４…固定用ナット                ３５…水栓金具
【図１】
0003622125.tif 000002
【図２】
0003622125.tif 000003
【図３】
0003622125.tif 000004
【図４】
0003622125.tif 000005
【図５】
0003622125.tif 000006